【手続補正書】
【提出日】平成30年6月21日(2018.6.21)
【手続補正１】
【補正対象書類名】明細書
【補正対象項目名】発明の名称
【補正方法】変更
【補正の内容】
【発明の名称】連結装置、それを用いた表示装置組立体、表示装置の配置方法、表示装置の折り畳み方法およびヒンジ機構
【手続補正２】
【補正対象書類名】明細書
【補正対象項目名】０００１
【補正方法】変更
【補正の内容】
【０００１】
本発明は、デジタル・サイネージ(Digital Signage)とも称される電子看板などの多様なコンテンツを、表示するための大画面を構築する複数の表示装置（すなわち、ディスプレイ装置）を連結するために有利に実施することができる連結装置、それを用いた表示装置組立体、表示装置の配置方法、表示装置の折り畳み方法およびヒンジ機構に関する。
【手続補正３】
【補正対象書類名】明細書
【補正対象項目名】０００７
【補正方法】変更
【補正の内容】
【０００７】
本発明の目的は、占有空間を小さくし、表示装置間の隙間を調整することができる連結装置、それを用いた表示装置組立体、表示装置の配置方法、表示装置の折り畳み方法およびヒンジ機構を提供することである。
【手続補正４】
【補正対象書類名】明細書
【補正対象項目名】０００８
【補正方法】変更
【補正の内容】
【０００８】
本発明は、互いに隣接して配置される２つの表示装置を、一方向に配列した展開状態と、２つの表示装置の表示面が同一平面に含まれない角度となる状態とに回動可能に連結する連結装置であって、各表示装置を、予め定める軸線まわりに回動可能に連結する連結手段を含み、連結手段は、一方の表示装置に固定される第１ヒンジ片と、他方の表示装置に固定される第２ヒンジ片と、一端部が第１ヒンジ片に、予め定める軸線まわりに回動可能に連結される第３ヒンジ片と、一端部が第２ヒンジ片に、予め定める軸線まわりに回動可能に連結される第４ヒンジ片と、第１ヒンジ片と第３ヒンジ片の一端部とを、予め定める軸線まわりに回動可能に連結する第１ヒンジ軸と、第２ヒンジ片と第４ヒンジ片の一端部とを、予め定める軸線まわりに回動可能に連結する第２ヒンジ軸と、第３ヒンジ片の他端部と第４ヒンジ片の他端部とを、予め定める軸線まわりに回動可能に連結する第３ヒンジ軸含み、第３ヒンジ軸は、２つの表示装置の回動動作に応じて移動することを特徴とする連結装置である。
また、本発明では、連結手段は、各表示装置の背面部のそれぞれに、予め定める軸線に直交する方向に移動可能に設けられる可動部材を含むことを特徴とする。
さらに、本発明では、第１ヒンジ片、第２ヒンジ片、第３ヒンジ片および第４ヒンジ片のそれぞれは平面部を含み、第１ヒンジ軸、第２ヒンジ軸および第３ヒンジ軸のそれぞれは、各ヒンジ片の平面部の厚み方向の外側に配置されることを特徴とする。
さらにまた、本発明では、第１ヒンジ軸、第２ヒンジ軸および第３ヒンジ軸のそれぞれは、ヒンジピンであることを特徴とする。
【手続補正５】
【補正対象書類名】明細書
【補正対象項目名】０００９
【補正方法】変更
【補正の内容】
【０００９】
本発明は、一方向に並べるとともに、隣接する２つの表示装置間を山折りおよび谷折り可能に連結した３つ以上の表示装置の配置方法であって、隣接する２つの表示装置の表示面が同一平面に含まれない角度に設定することを特徴とする、表示装置の配置方法である。
また、本発明では、３つ以上の表示装置について、隣接する２つの表示装置間を交互に山折りおよび谷折りに配置することを特徴とする。
さらに、本発明では、複数の表示装置間を山折りおよび谷折り可能に連結し、隣接する２つの表示装置の回動動作に応じて移動する第１ヒンジ軸を備える連結手段を使用することを特徴とする。
さらにまた、本発明では、連結手段は、一方の表示装置に固定される第１ヒンジ片と、他方の表示装置に固定される第２ヒンジ片と、一端部が第１ヒンジ片に、予め定める軸線まわりに回動可能に連結される第３ヒンジ片と、一端部が第２ヒンジ片に、予め定める軸線まわりに回動可能に連結される第４ヒンジ片と、第１ヒンジ片と第３ヒンジ片の一端部とを、予め定める軸線まわりに回動可能に連結する第２ヒンジ軸と、第２ヒンジ片と第４ヒンジ片の一端部とを、予め定める軸線まわりに回動可能に連結する第３ヒンジ軸とを含み、第１ヒンジ軸は、第３ヒンジ片の他端部と第４ヒンジ片の他端部とを、記予め定める軸線まわりに回動可能に連結することを特徴とする。
本発明は、一方向に並べるとともに、隣接する２つの表示装置間を山折りおよび谷折り可能に連結した３つ以上の表示装置の折り畳み方法であって、隣接する２つの表示装置の表示面同士または隣接する２つの表示装置の背面同士を対向させることを特徴とする、表示装置の折り畳み方法である。
また、本発明では、３つ以上の表示装置について、隣接する２つの表示装置間を交互に山折りおよび谷折りに折り畳むことを特徴とする。
さらに、本発明では、複数の表示装置間を山折りおよび谷折り可能に連結し、隣接する２つの表示装置の回動動作に応じて移動する第１ヒンジ軸を備える連結手段を使用することを特徴とする。
さらにまた、本発明では、連結手段は、一方の表示装置に固定される第１ヒンジ片と、他方の表示装置に固定される第２ヒンジ片と、一端部が第１ヒンジ片に、予め定める軸線まわりに回動可能に連結される第３ヒンジ片と、一端部が第２ヒンジ片に、予め定める軸線まわりに回動可能に連結される第４ヒンジ片と、第１ヒンジ片と第３ヒンジ片の一端部とを、予め定める軸線まわりに回動可能に連結する第２ヒンジ軸と、第２ヒンジ片と第４ヒンジ片の一端部とを、予め定める軸線まわりに回動可能に連結する第３ヒンジ軸とを含み、第１ヒンジ軸は、第３ヒンジ片の他端部と第４ヒンジ片の他端部とを、予め定める軸線まわりに回動可能に連結することを特徴とする。
【手続補正６】
【補正対象書類名】明細書
【補正対象項目名】００１０
【補正方法】変更
【補正の内容】
【００１０】
本発明は、４つのヒンジ片、および４つのヒンジ片を所定の方向に並べるとともに、隣接する２つのヒンジ片を予め定める軸線まわりに回動可能に連結する３つの連結部材を備え、両端の２つのヒンジ片のうちの一方が一つの装置に連結され、両端の２つのヒンジ片のうちの他方が他の一つの装置に連結され、内側の２つのヒンジ片は、隣接する一方のヒンジ片に連結される一端部と、隣接する他方のヒンジ片に連結される他端部とが予め定める軸線の方向においてそれぞれ互いに異なる位置に形成されるクランク形状であることを特徴とする、ヒンジ機構である。
また、本発明では、内側の２つのヒンジ片は、同じ形状であることを特徴とする。
さらに、本発明では、両端の２つのヒンジ片は、同じ形状であることを特徴とする。
さらにまた、本発明では、連結部材は、ヒンジピンであることを特徴とする。
【手続補正７】
【補正対象書類名】特許請求の範囲
【補正対象項目名】全文
【補正方法】変更
【補正の内容】
【特許請求の範囲】
【請求項１】
一方向に並べるとともに、隣接する２つの表示装置間を山折りおよび谷折り可能に連結した３つ以上の表示装置の配置方法であって、
隣接する２つの表示装置の表示面が同一平面に含まれない角度に設定することを特徴とする、表示装置の配置方法。
【請求項２】
前記３つ以上の表示装置について、隣接する２つの表示装置間を交互に山折りおよび谷折りに配置することを特徴とする、請求項１に記載の表示装置の配置方法。
【請求項３】
前記３つ以上の表示装置を山折りおよび谷折り可能に連結し、隣接する２つの表示装置の回動動作に応じて移動する第１ヒンジ軸を含む連結手段を使用することを特徴とする、請求項１または２に記載の表示装置の配置方法。
【請求項４】
前記連結手段は、
一方の表示装置に固定される第１ヒンジ片と、
他方の表示装置に固定される第２ヒンジ片と、
一端部が第１ヒンジ片に、予め定める軸線まわりに回動可能に連結される第３ヒンジ片と、
一端部が第２ヒンジ片に、前記予め定める軸線まわりに回動可能に連結される第４ヒンジ片と、
第１ヒンジ片と第３ヒンジ片の一端部とを、前記予め定める軸線まわりに回動可能に連結する第２ヒンジ軸と、
第２ヒンジ片と第４ヒンジ片の一端部とを、前記予め定める軸線まわりに回動可能に連結する第３ヒンジ軸とを含み、
前記第１ヒンジ軸は、第３ヒンジ片の他端部と第４ヒンジ片の他端部とを、前記予め定める軸線まわりに回動可能に連結することを特徴とする、請求項３に記載の表示装置の配置方法。
【請求項５】
一方向に並べるとともに、隣接する２つの表示装置間を山折りおよび谷折り可能に連結した３つ以上の表示装置の折り畳み方法であって、
隣接する前記２つの表示装置の表示面同士または隣接する前記２つの表示装置の背面同士を対向させることを特徴とする、表示装置の折り畳み方法。
【請求項６】
前記３つ以上の表示装置について、隣接する２つの表示装置間を交互に山折りおよび谷折りに折り畳むことを特徴とする、請求項５に記載の表示装置の折り畳み方法。
【請求項７】
前記３つ以上の表示装置を山折りおよび谷折り可能に連結し、隣接する２つの表示装置の回動動作に応じて移動する第１ヒンジ軸を備える連結手段を使用することを特徴とする、請求項５または６に記載の表示装置の折り畳み方法。
【請求項８】
前記連結手段は、
一方の表示装置に固定される第１ヒンジ片と、
他方の表示装置に固定される第２ヒンジ片と、
一端部が第１ヒンジ片に、予め定める軸線まわりに回動可能に連結される第３ヒンジ片と、
一端部が第２ヒンジ片に、前記予め定める軸線まわりに回動可能に連結される第４ヒンジ片と、
第１ヒンジ片と第３ヒンジ片の一端部とを、前記予め定める軸線まわりに回動可能に連結する第２ヒンジ軸と、
第２ヒンジ片と第４ヒンジ片の一端部とを、前記予め定める軸線まわりに回動可能に連結する第３ヒンジ軸とを含み、
前記第１ヒンジ軸は、第３ヒンジ片の他端部と第４ヒンジ片の他端部とを、前記予め定める軸線まわりに回動可能に連結することを特徴とする、請求項７に記載の表示装置の折り畳み方法。
【請求項９】
互いに隣接して配置される２つの表示装置を、一方向に配列した展開状態と、前記２つの表示装置の表示面が同一平面に含まれない角度となる状態とに回動可能に連結する連結装置であって、
各表示装置を、予め定める軸線まわりに回動可能に連結する連結手段を含み、
前記連結手段は、
一方の表示装置に固定される第１ヒンジ片と、
他方の表示装置に固定される第２ヒンジ片と、
一端部が第１ヒンジ片に、前記予め定める軸線まわりに回動可能に連結される第３ヒンジ片と、
一端部が第２ヒンジ片に、前記予め定める軸線まわりに回動可能に連結される第４ヒンジ片と、
第１ヒンジ片と第３ヒンジ片の一端部とを、前記予め定める軸線まわりに回動可能に連結する第１ヒンジ軸と、
第２ヒンジ片と第４ヒンジ片の一端部とを、前記予め定める軸線まわりに回動可能に連結する第２ヒンジ軸と、
第３ヒンジ片の他端部と第４ヒンジ片の他端部とを、前記予め定める軸線まわりに回動可能に連結する第３ヒンジ軸とを含み、
前記第３ヒンジ軸は、前記２つの表示装置の回動動作に応じて移動することを特徴とする、連結装置。
【請求項１０】
前記連結手段は、各表示装置の背面部のそれぞれに、前記予め定める軸線に直交する方向に移動可能に設けられる可動部材を含むことを特徴とする、請求項９に記載の連結装置。
【請求項１１】
前記第１ヒンジ片、前記第２ヒンジ片、前記第３ヒンジ片および前記第４ヒンジ片のそれぞれは平面部を含み、
前記第１ヒンジ軸、前記第２ヒンジ軸および前記第３ヒンジ軸のそれぞれは、各ヒンジ片の前記平面部の厚み方向の外側に配置されることを特徴とする、請求項９または１０に記載の連結装置。
【請求項１２】
前記第１ヒンジ軸、前記第２ヒンジ軸および前記第３ヒンジ軸のそれぞれは、ヒンジピンであることを特徴とする、請求項９から１１までのいずれか１つに記載の連結装置。
【請求項１３】
請求項９から１２までのいずれか１つに記載の連結装置によって、複数の表示装置の互いに隣接する各側部が連結されることを特徴とする、表示装置組立体。
【請求項１４】
４つのヒンジ片、および
前記４つのヒンジ片を所定の方向に並べるとともに、隣接する２つのヒンジ片を予め定める軸線まわりに回動可能に連結する３つの連結部材を備え、
両端の２つのヒンジ片のうちの一方が一つの装置に連結され、両端の２つのヒンジ片のうちの他方が他の一つの装置に連結され、
内側の２つのヒンジ片は、隣接する一方のヒンジ片に連結される一端部と、隣接する他方のヒンジ片に連結される他端部とが前記予め定める軸線の方向においてそれぞれ互いに異なる位置に形成されるクランク形状であることを特徴とする、ヒンジ機構。
【請求項１５】
前記内側の２つのヒンジ片は、同じ形状であることを特徴とする、請求項１４に記載のヒンジ機構。
【請求項１６】
前記両端の２つのヒンジ片は、同じ形状であることを特徴とする、請求項１４または１５に記載のヒンジ機構。
【請求項１７】
前記連結部材は、ヒンジピンであることを特徴とする、請求項１４から１６までのいずれかに記載のヒンジ機構。